(57)【特許請求の範囲】
【請求項１】
ユーザー装置（ＵＥ）により、セル特定無線リソース中の物理層の動的ダウンリンクシグナリングを受信する工程であって、前記動的ダウンリンクシグナリングを用いて、ＵＥ特定ダウンリンクスケジューラーおよび／またはアップリンクグラントを含むＵＥ特定無線リソース中で、ＵＥ特定ダウンリンク制御チャネルのＵＥ動的シグナリング情報を信号伝達し、前記ＵＥ動的シグナリング情報は、グループＩＤ、リソース割り当てタイプ、リソースブロック割り当て、および、前記ＵＥ特定ダウンリンク制御チャネルを復号するＭＩＭＯランクと単一または複数のアンテナポートのうちの少なくとも一つを含み、動的シグナリングは、その内容を伝えるための物理層制御チャネルを要し、且つ、特定のダウンリンク制御情報（ＤＣＩ）フォーマットは、前記動的ダウンリンクシグナリング用の前記セル特定無線リソース中に用いられる工程と、
前記ＵＥ特定ダウンリンク制御チャネル中のダウンリンクデータパケットおよび／またはアップリンク伝送機会に対する割り当て情報を復号する工程と、
を含むことを特徴とするＯＦＤＭＡシステムにおけるＵＥ特定ダウンリンク制御チャネルのシグナリング方法。
【請求項２】
前記セル特定無線リソース中のレガシーダウンリンク制御チャネルは、コモンパイロットを用いたレガシースケジューリングに対する物理ダウンリンク制御チャネル（ＰＤＣＣＨ）であることを特徴とする請求項１に記載のＯＦＤＭＡシステムにおけるＵＥ特定ダウンリンク制御チャネルのシグナリング方法。
【請求項３】
前記ＵＥ特定無線リソース中の前記ＵＥ特定ダウンリンク制御チャネルは、専用パイロットを用いたレガシー物理ダウンリンク共有チャネル（ＰＤＳＣＨ）中に存在する増強ＰＤＣＣＨ（eＰＤＣＣＨ）であることを特徴とする請求項２に記載のＯＦＤＭＡシステムにおけるＵＥ特定ダウンリンク制御チャネルのシグナリング方法。
【請求項４】
前記ＵＥ特定ダウンリンク制御チャネルは、レガシーダウンリンク制御チャネルの拡張空間と見なされ、前記ＵＥは、まず、前記ＰＤＣＣＨで、その後、eＰＤＣＣＨで、スケジューラーを検索することを特徴とする請求項２に記載のＯＦＤＭＡシステムにおけるＵＥ特定ダウンリンク制御チャネルのシグナリング方法。
【請求項５】
前記ＵＥに前記ＵＥ特定ダウンリンク制御チャネルを用いるか否かを設定するために用いられる高層設定を受信する工程を含むことを特徴とする請求項１に記載のＯＦＤＭＡシステムにおけるＵＥ特定ダウンリンク制御チャネルのシグナリング方法。
【請求項６】
前記ＵＥ用のグループＩＤを設定するための高層設定を受信する工程であって、前記ＵＥが、同一のグループＩＤに関連する前記ＵＥ特定ダウンリンクスケジューラーから復号する工程を含むことを特徴とする請求項１に記載のＯＦＤＭＡシステムにおけるＵＥ特定ダウンリンク制御チャネルのシグナリング方法。
【請求項７】
特定のシグナチャーを用いて前記動的ダウンリンクシグナリングを符号化し、前記ＵＥが前記動的ダウンリンクシグナリングが前記ＵＥ特定ダウンリンク制御チャネルに用いられることを識別することが出来ることを特徴とする請求項１に記載のＯＦＤＭＡシステムにおけるＵＥ特定ダウンリンク制御チャネルのシグナリング方法。
【請求項８】
ユーザー装置（ＵＥ）により、高層シグナリングを受信する工程であって、前記高層シグナリングが用いられて、ＵＥ特定ダウンリンクスケジューラーおよび／またはアップリンクグラントを含むＵＥ特定無線リソース中、ＵＥ特定ダウンリンク制御チャネルのＵＥ半静的シグナリング情報を信号伝達し、前記ＵＥ半静的シグナリング情報は、前記ＵＥ特定ダウンリンク制御チャネル用のイネイブラー、リソース割り当てタイプ、リソースブロック割り当て、および、前記ＵＥ特定ダウンリンク制御チャネルを復号するのに用いられるＭＩＭＯランクと単一または複数のアンテナポートのうちの少なくとも一つを含み、半静的シグナリングは、その内容を伝えるためのＲＲＣ層トランスポートチャネルを要する工程と、
セル特定無線リソース中のレガシーダウンリンク制御チャネルを検索する工程と、
前記ＵＥ特定無線リソース中の前記ＵＥ特定ダウンリンク制御チャネルを検索する工程と、
前記ＵＥ特定ダウンリンク制御チャネル中のダウンリンクデータパケットおよび／またはアップリンク伝送機会に対する割り当て情報を復号する工程と、を含むことを特徴とするＯＦＤＭＡシステムにおけるＵＥ特定ダウンリンク制御チャネルのシグナリング方法。
【請求項９】
前記高層シグナリングは、前記ＵＥに、前記ＵＥ特定ダウンリンク制御チャネルを用いるか否かを設定するために用いられることを特徴とする請求項８に記載のＯＦＤＭＡシステムにおけるＵＥ特定ダウンリンク制御チャネルのシグナリング方法。
【請求項１０】
前記セル特定無線リソース中の前記レガシーダウンリンク制御チャネルは、コモンパイロットを用いた物理ダウンリンク制御チャネル（ＰＤＣＣＨ）で、前記ＵＥ特定無線リソース中の前記ＵＥ特定ダウンリンク制御チャネルは、専用パイロットを用いた増強ＰＤＣＣＨ（eＰＤＣＣＨ）であることを特徴とする請求項８に記載のＯＦＤＭＡシステムにおけるＵＥ特定ダウンリンク制御チャネルのシグナリング方法。
【請求項１１】
前記高層シグナリングは、無線リソース制御（ＲＲＣ）シグナリングであることを特徴とする請求項８に記載のＯＦＤＭＡシステムにおけるＵＥ特定ダウンリンク制御チャネルのシグナリング方法。
【請求項１２】
ユーザー装置（ＵＥ）により、高層シグナリングを受信する工程であって、前記高層シグナリングが用いられて、ＵＥ特定ダウンリンクスケジューラーおよび／またはアップリンクグラントを含むＵＥ特定無線リソース中、ＵＥ特定ダウンリンク制御チャネルのＵＥ半静的シグナリング情報を信号伝達し、前記ＵＥ半静的シグナリング情報は、前記ＵＥ特定ダウンリンクスケジューラー用のイネイブラー、リソース割り当てタイプ、リソースブロック割り当て、前記ＵＥ特定ダウンリンク制御チャネルを復号するＭＩＭＯランクと単一または複数のアンテナポートのうちの少なくとも一つを含み、半静的シグナリングは、その内容を伝えるためのＲＲＣ層トランスポートチャネルを要する工程と、
前記ＵＥが、特定サブフレーム中の前記ＵＥ特定ダウンリンク制御チャネルに対する前記ＵＥ特定無線リソースを監視するために信号伝達される場合、前記特定のサブフレーム中の前記ＵＥ特定無線リソースで、前記ＵＥ特定ダウンリンク制御チャネルを検索する工程と、
前記ＵＥ特定ダウンリンク制御チャネル中のダウンリンクデータパケットおよび／またはアップリンク伝送機会に対する割り当て情報を復号する工程と、
を含むことを特徴とするＯＦＤＭＡシステムにおけるＵＥ特定ダウンリンク制御チャネルのシグナリング方法。
【請求項１３】
前記高層シグナリングは、前記ＵＥに、前記ＵＥ特定ダウンリンク制御チャネルを用いるか否かを設定するために用いられることを特徴とする請求項１２に記載のＯＦＤＭＡシステムにおけるＵＥ特定ダウンリンク制御チャネルのシグナリング方法。
【請求項１４】
サブフレームビットマップが前記高層シグナリングにより設定されて、どのサブフレームが、前記ＵＥ特定ダウンリンク制御チャネルを検索する前記ＵＥにより監視されるかを示すことを特徴とする請求項１２に記載のＯＦＤＭＡシステムにおけるＵＥ特定ダウンリンク制御チャネルのシグナリング方法。
【請求項１５】
前記サブフレームビットマップは、セル特定またはＵＥ特定であることを特徴とする請求項１４に記載のＯＦＤＭＡシステムにおけるＵＥ特定ダウンリンク制御チャネルのシグナリング方法。
【請求項１６】
前記ＵＥは、前記ＵＥ特定無線リソースで、前記ＵＥ特定ダウンリンク制御チャネルを検索し、前記同じサブフレームでのセル特定無線リソース中のレガシーダウンリンク制御チャネルは検索しないことを特徴とする請求項１４に記載のＯＦＤＭＡシステムにおけるＵＥ特定ダウンリンク制御チャネルのシグナリング方法。
【請求項１７】
セル特定無線リソース中のレガシーダウンリンク制御チャネルは、コモンパイロットを用いた物理ダウンリンク制御チャネル（ＰＤＣＣＨ）で、前記ＵＥ特定無線リソース中の前記ＵＥ特定ダウンリンク制御チャネルは、専用パイロットを用いた増強ＰＤＣＣＨ（eＰＤＣＣＨ）であることを特徴とする請求項１２に記載のＯＦＤＭＡシステムにおけるＵＥ特定ダウンリンク制御チャネルのシグナリング方法。
【請求項１８】
前記高層シグナリングは、無線リソース制御（ＲＲＣ）シグナリングまたは情報要素であることを特徴とする請求項１２に記載のＯＦＤＭＡシステムにおけるＵＥ特定ダウンリンク制御チャネルのシグナリング方法。
【発明の詳細な説明】
【技術分野】
【０００１】
この出願は、２０１１年５月５日に出願された“Signaling Methods for UE-Specific Dynamic Downlink Scheduler in OFDMA systems”と題された米国特許仮出願番号６１／４８２８２２号から、合衆国法典第３５編第１１９条の下、優先権を主張するものであり、その内容は引用によって本願に援用される。
【０００２】
本発明は、ダウンリンクスケジューリングに関するものであって、特に、ＯＦＤＭＡ（Orthogonal frequency-division multiple access）システムにおけるＵＥ（User equipment）特定ダウンリンク制御チャネルに対するシグナリング方法に関するものである。
【背景技術】
【０００３】
３ＧＰＰロングタームエボリューション（ＬＴＥ）ネットワークにおいて、進化型地上無線アクセスネットワーク（Ｅ−ＵＴＲＡＮ）は、複数の基地局、たとえば、ユーザー装置（ＵＥ）と称される複数の移動局と通信する進化型 Node-Bs（ｅＮＢ）を含む。マルチパスフェージング（multipath fading）時のロバスト性、高いスペクトル効率、および、バンド幅拡張性（bandwidth scalability）のため、直交周波数分割多重アクセス（ＯＦＤＭＡ）がＬＴＥダウンリンク（ＤＬ）無線アクセススキームに選択されている。ダウンリンク中の多重アクセスは、それらの存在するチャンネル状態に基づいて、システムバンド幅の異なるサブバンド（つまり、リソースブロック（ＲＢ）として示されるサブキャリアのグループ）を個人ユーザーに割り当てられることにより達成される。ＬＴＥネットワークにおいて、物理ダウンリンク制御チャネル（ＰＤＣＣＨ）がダウンリンクスケジューリングに用いられる。現在のＬＴＥ仕様において、ＰＤＣＣＨが設定されて、サブフレーム中の最初の一つ、二つ、又は三つのＯＦＤＭ符号を占有する。
【０００４】
ＬＴＥのある期待される技術は、空間分割多重化を用いることにより、スペクトル効率ゲインをさらに改善することができる多重入出力（ＭＩＭＯ）アンテナの使用である。複数のアンテナは、チャネルスケジューラーに対する付加的な自由度を見込む。マルチユーザーＭＩＭＯ（ＭＵ−ＭＩＭＯ）はＬＴＥ Ｒｅｌ−１０中で考慮される。単一ユーザーのＭＩＭＯ（ＳＵ−ＭＩＭＯ）と比較して、ＭＵ-ＭＩＭＯは、異なるユーザーが同じＲＢに関して異なる空間ストリームによりスケジュールすることができるようにすることにより、さらに大きい空間領域フレキシビリティを提供する。同じ時間周波数リソースを複数のＵＥにスケジューリングすることにより、空間多重化を利用して、さらに多くのＵＥが同じサブフレームでスケジュールされる。ＭＵ−ＭＩＭＯを実現するため、ＰＤＣＣＨにより、個々の制御シグナリングが、各ＵＥに指示される必要がある。その結果、サブフレーム毎にスケジュールされるＵＥの数量が増加するので、さらに多くのＰＤＣＣＨ伝送が予期される。しかし、最大３個の符号のＰＤＣＣＨ領域は、ＬＴＥ中で増長するＵＥ数量を満たすのに十分ではない。制限された制御チャネルキャパシティのため、非最適化ＭＵ−ＭＩＭＯスケジューリングのせいで、ＭＩＭＯパフォーマンスは低下する。
【０００５】
ＬＴＥ Ｒｅｌ-１１において、協調されたマルチポイント（ＣｏＭＰ）伝送／受信向けの各種配置状況が導入される。異なるＣｏＭＰ状況（scenarios）の中で、ＣｏＭＰ状況４は、低電力リモート無線ヘッド（ＲＲＨ）を備えた異種ネットワーク中のシングルセルＩＤ ＣｏＭＰと称される。ＣｏＭＰ状況４において、低電力ＲＲＨは、マクロ−ｅＮＢにより提供されるマクロセルカバー範囲内で配置される。ＲＲＨは、マクロセルと同じセルＩＤを有する。このような単一セルＩＤ ＣｏＭＰ操作において、ＰＤＣＣＨは、全伝送ポイントから伝送され、その後、セル分割利得無しで、ソフト結合する必要がある。ＰＤＣＣＨの物理的信号生成がセルＩＤにリンクされるので、同じセルＩＤが異なるポイント間でシェアされる場合、異なるポイントにより供されるＵＥは、ＰＤＣＣＨの同じ物理リソースをシェアできるにすぎない。これは、上述のＭＵ−ＭＩＭＯ状況に類似する制御チャネルキャパシティ問題を生成する。
【０００６】
制御チャネルキャパシティ問題に対処するため、ＭＵ−ＭＩＭＯ／ＣｏＭＰのＵＥ特定ダウンリンクスケジューラーが提案されている。ＬＴＥにおいて、ＰＤＣＣＨ設計を新しいＸ−ＰＤＣＣＨに拡張し、Ｘ−ＰＤＣＣＨは、レガシー物理ダウンリンク共有チャネル（ＰＤＳＣＨ）である。しかし、どのように、ＵＥに、Ｘ−ＰＤＣＣＨのスケジューリング情報を信号伝達するかが不明瞭である。たとえば、シグナリングがＰＤＣＣＨにより各ＵＥに提供される場合、同じ制御チャネルキャパシティ問題が発生する。一方、シグナリングが高層により設定される場合、Ｘ−ＰＤＣＣＨの制御オーバーヘッドは、動的に調整できない。ソリューションが必要である。
【発明の概要】
【発明が解決しようとする課題】
【０００７】
本発明は、大幅な制御オーバーヘッドの減少を達成することができるＯＦＤＭＡシステムにおけるＵＥ特定ダウンリンク制御チャネルのシグナリング方法を提供する。
【課題を解決するための手段】
【０００８】
ＵＥ特定ダウンリンク制御チャネルは、動的または半静的シグナリングを用いて、情報を信号伝達する。ＵＥ特定ダウンリンク制御チャネルを用いることにより、大幅な制御オーバーヘッド減少が達成される。
【０００９】
第一方法において、セル特定無線リソース中の動的ダウンリンクシグナリングを用いて、ＵＥ特定無線リソース中のＵＥ特定ダウンリンク制御チャネルを信号伝達する。ＬＴＥにおいて、ＰＤＣＣＨ中の特定のＤＣＩフォーマットを用いて、動的に、レガシーＰＤＳＣＨ領域で存在するＵＥ特定ダウンリンク制御チャネルＸ−ＰＤＣＣＨを信号伝達する。動的シグナリングの内容は、少なくとも、以下の情報の一部または全部を含む：グループＩＤ、リソース割り当てタイプ、ＵＥ特定ダウンリンク制御チャネルのリソースブロック割り当て、および、ＵＥ特定ダウンリンク制御チャネルを復号するのに用いられるＭＩＭＯランクとアンテナポート。ＵＥは、グループＩＤにより、属するＵＥグループを確定し、および、どの動的シグナリングを参考にすべきかを識別して、それらのＵＥ特定ダウンリンク制御チャネルを見つける。
【００１０】
第二方法において、半静的高層シグナリングが用いられて、ＵＥ特定無線リソース中のＵＥ特定ダウンリンク制御チャネルを信号伝達する。ＬＴＥにおいて、ＲＲＣシグナリングが用いられて、半静的に、レガシーＰＤＳＣＨ領域中に存在するＵＥ特定ダウンリンク制御チャネルＸ−ＰＤＣＣＨを信号伝達する。半静的シグナリング情報の内容は、少なくとも、以下の情報の一部または全部を含む：ＵＥ特定ダウンリンク制御チャネルのイネイブラー、リソース割り当てタイプ、ＵＥ特定ダウンリンク制御チャネルのリソースブロック割り当て、および、ＵＥ特定ダウンリンク制御チャネルを復号するのに用いられるＭＩＭＯランクとアンテナポート。
他の実施の形態および利点が以下の詳細な説明に述べられる。この概要は、本発明を定めるものではない。本発明は請求項によって定められる。
【発明の効果】
【００１１】
本発明に係るＯＦＤＭＡシステム中におけるＵＥ特定動的ダウンリンクスケジューラーのシグナリング方法によれば、ＵＥ特定ダウンリンク制御チャネルを用いることにより、大幅な制御オーバーヘッドの減少を達成できるものである。
【図面の簡単な説明】
【００１２】
添付の図面は、本発明の実施の形態を説明しており、同様の符号は同様の構成要素を示している。
【図１】ＵＥ特定ダウンリンクスケジューリングを備えた新規な無線通信ネットワークを示す説明図である。
【図２】新規なＵＥとｅＮＢの簡略化されたブロック図である。
【図３】ＵＥ特定ダウンリンク制御チャネルの動的シグナリングの一例を示す図である。
【図４】ＵＥ特定ダウンリンク制御チャネルの動的シグナリング方法の一つの実施例のフローチャート。
【図５】ＵＥ特定ダウンリンク制御チャネルの動的シグナリングを応用するＣｏＭＰ状況４の一つの応用例の説明図である。
【図６】ＵＥ特定ダウンリンク制御チャネルの半静的シグナリングの一例を示す説明図である。
【図７】ＵＥ特定ダウンリンク制御チャネルの半静的シグナリングの方法の第一実施例のフローチャートである。
【図８】ＵＥ特定ダウンリンク制御チャネルの半静的シグナリングの方法の第二実施例のフローチャートである。
【図９】ＵＥ特定ダウンリンク制御チャネルの半静的シグナリングの方法の第三実施例のフローチャートである。
【図１０】ＵＥ特定ダウンリンク制御チャネルに半静的シグナリングを応用するＣｏＭＰ状況４中の一適用例の説明図である。
【図１１】ＵＥ特定ダウンリンク制御チャネルのシグナリングの方法を示すフローチャートである。
【発明を実施するための形態】
【００１３】
本発明の実施例について添付図面を参照して詳細に説明する。
【００１４】
図１は、ＵＥ特定ダウンリンクスケジューリングを備えた新規な無線通信ネットワークを示す説明図である。無線通信ネットワーク１００は、マクロｅＮＢ１０１、第一リモート無線ヘッド RRH#0、第二RRH#1、および、ユーザー装置ＵＥ１０２を具備している。図１は、ＬＴＥ Ｒｅｌ-１１ネットワーク中の協調マルチポイント（ＣｏＭＰ）配置状況４を示している。ＣｏＭＰ配置状況４において、低電力ＲＲＨは、マクロｅＮＢ１０１により提供されるマクロセルカバー範囲内に位置し、RRH#0とRRH#1により生成される伝送と受信ポイントは、マクロセルと同じセルＩＤ（たとえば、セルＩＤ#0）を有する。このような単一セルＩＤ ＣｏＭＰ操作において、制御チャネルは、全伝送ポイントから伝送され、その後、セル分割利得がない状態で、ソフト結合される必要がある。制御チャネルの物理的信号生成はセルＩＤにリンクされるので、同じセルＩＤが異なるポイント間でシェアされる場合、異なるポイントにより供されるＵＥは、制御チャネルの同じ物理リソースだけをシェアすることができる。これは、ＭＵ−ＭＩＭＯ状況に類似する制御チャネルキャパシティ問題を生じる。ＭＵ−ＭＩＭＯを実現するため、個々の制御シグナリングが、制御チャネルによって各ＵＥに指示されなければならない。その結果、サブフレーム毎にスケジュールされるＵＥの数量が増加するので、さらに多くの制御チャネル伝送が期待される。
【００１５】
ＬＴＥネットワークにおいて、物理ダウンリンク制御チャネル（ＰＤＣＣＨ）は、レガシーダウンリンクスケジューリングに用いられる。図１の例において、マクロｅＮＢ１０１、RRH#0およびRRH#1は全て、同じセル特定無線リソースをシェアするＰＤＣＣＨによりＵＥ１０２にダウンリンクスケジューリング信号を伝送する。一つの新規な態様において、制御チャネルキャパシティを増加するため、ＵＥ特定無線リソースを用いた新しいＵＥ特定ダウンリンク制御チャネルが、特に、ＭＵ−ＭＩＭＯとＣｏＭＰ配置状況４に導入される。新しいＵＥ特定ダウンリンク制御チャネルは、増強ＰＤＣＣＨ（eＰＤＣＣＨ）で、レガシー物理ダウンリンク共有チャネル（ＰＤＳＣＨ）中に位置し、ＦＤＭにより、Ｒ１２ ＰＤＳＣＨと多重化される。ＵＥ特定制御チャネルは、復調参照信号（DM−RS）を用いると共に、ＭＩＭＯプレコーディング（プレコーディング）を許可する。ＵＥ特定制御チャネルは、ＰＤＳＣＨの空間的再使用を実現し、ＰＤＳＣＨは、関連する伝送ポイントからだけ各ＵＥに伝送される。
【００１６】
図２は、無線通信端子ＵＥ２０１および基地局ｅＮＢ２０２を示す簡略化されたブロック図である。ＵＥ２０１およびｅＮＢ２０２は、任意の通信プロトコルに従って操作する。説明上、本実施例は、ＬＴＥプロトコルに従って動作する。ＵＥ２０１は、ＲＦモジュール２１１に結合されるトランシーバアンテナ２１０を備えている。トランシーバアンテナ２１０は、ＲＦ信号を送受信する。ＵＥ２０１に対しては一つのアンテナしか示されていないが、当業者には無線端子が、伝送と受信の複数のアンテナを有することが知られている。ＲＦモジュール２１１は、トランシーバアンテナ２１０またはベースバンドモジュール２１２から信号を受信し、受信された信号をベースバンド周波数に変換する。ベースバンドモジュール２１２は、ＵＥ２０１により送受信される信号を処理する。このような処理は、たとえば、変調／復調、チャネル符号／復号、および、ソース符号／復号を含んでいる。ＵＥ２０１は、さらに、デジタル信号を処理し、別の制御機能を提供するプロセッサ２１３を備えている。メモリ２１４は、ＵＥ２０１の動作を制御するプログラム命令およびデータを保存している。同様に、ｅＮＢ２０２は、ＲＦモジュール２３１に結合されるトランシーバアンテナ２３０、ベースバンドモジュール２３２、プロセッサ２３３、および、メモリ２３４を備えている。
【００１７】
ＵＥ２０１およびｅＮＢ２０２は、一般に定義される層状プロトコルスタック２１５により互いに通信する。層状プロトコルスタック２１５は、ＵＥと移動性管理エンティティ（ＭＭＥ）間のプロトコルで、上層ネットワーク制御を提供する非アクセス層（ＮＡＳ）層２１６、無線リソース制御（ＲＲＣ）層２１７、パケットデータ集中制御（ＰＤＣＰ）層２１８、無線リンク制御（ＲＬＣ）層２１９、媒体アクセス制御（ＭＡＣ）層２２０、および、物理層（ＰＨＹ）２２１を備えている。異なるモジュールおよびプロトコル層モジュールは、機能モジュールまたは論理エンティティで、且つ、ソフトウェア、ファームウェア、ハードウェアまたはそれらの組み合わせにより実施される。異なるモジュールは共同で作業し、プロセッサにより実行される時、ＵＥ２０１およびｅＮＢ２０２が、各種通信アクティビティを実行できるようにする。
【００１８】
特に、ＬＴＥシステムは物理層を用いて、セル特定ＰＤＣＣＨにより、レガシー動的ダウンリンクスケジューラーとアップリンクグラントを提供する。レガシーセル特定ＰＤＣＣＨに加え、一部のレガシーデータチャネルがＵＥ特定ダウンリンク制御チャネルに増強ＰＤＣＣＨとして保留される。ＬＴＥにおいて、ＵＥ特定ダウンリンクスケジューラーおよびアップリンクグラントは、ＵＥ特定ダウンリンク制御チャネル中に含まれる。ＵＥ特定ダウンリンク制御チャネルは、レガシーＰＤＳＣＨ領域に存在するＵＥ特定ＰＤＣＣＨである。便宜上、本発明において、ＵＥ特定ＰＤＣＣＨはＸ−ＰＤＣＣＨと称される。二つのシグナリング方法が提案されて、シグナリング情報をＵＥ特定ダウンリンク制御チャネルＸ−ＰＤＣＣＨに提供する。一つの実施例において、ＰＨＹ層による動的シグナリングが、ＵＥ特定ダウンリンク制御チャネルＸ−ＰＤＣＣＨに用いられる。ＬＴＥにおいて、ＰＤＣＣＨが用いられて、ＵＥ特定ダウンリンク制御チャネルの情報は、ＵＥのグループをマルチキャスト（multi−cast）する。別の実施例において、ＲＲＣ層による半静的シグナリングが、ＵＥ特定ダウンリンク制御チャネルＸ−ＰＤＣＣＨに用いられる。ＬＴＥにおいて、ＲＲＣシグナリングが用いられて、ＵＥ特定ダウンリンク制御チャネルの情報を、ＵＥのグループにマルチキャストする。ＵＥ特定ダウンリンク制御チャネルの無線リソースは、複数グループのＵＥによりシェアすることができる。
【００１９】
図３は、ＵＥ特定ダウンリンク制御チャネルＸ−ＰＤＣＣＨの動的シグナリングの一例を示す図である。セル特定無線リソース中の動的ダウンリンクシグナリングが用いられて、ＵＥ特定無線リソース中のＵＥ特定ダウンリンク制御チャネルの情報を、ＵＥに信号伝達する。一般に、セル特定無線リソースは、ＭＩＭＯプレコーディングを実行しないコモンパイロットを用いた一種の物理チャネルである。一方、ＵＥ特定無線リソースは、ＭＩＭＯプレコードが可能な専用パイロットを用いた一種の物理チャネルである。高層シグナリングが用いられて、ＵＥに、ＵＥ特定ダウンリンク制御チャネルＸ−ＰＤＣＣＨを用いるか否かを設定する。設定されたＵＥは、動的ダウンリンクシグナリング情報に基づいて、ＵＥ特定ダウンリンク制御チャネル中のダウンリンクスケジューラーおよび／またはアップリンクグラントを復号し、ダウンリンクデータパケットおよび／またはアップリンク伝送機会の割り当て情報を得る。各サブフレームにて、ＵＥからの需要は急速に変化するので、動的ダウンリンクシグナリングを用いることにより、ＵＥ特定Ｘ−ＰＤＣＣＨの制御オーバーヘッドは、サブフレームごとに（subframe by subframe）調整される。
【００２０】
ＬＴＥにおいて、ＰＤＣＣＨ中の新しいＤＣＩフォーマットが用いられて、動的に、ＵＥに、ＵＥ特定Ｘ−ＰＤＣＣＨの情報を信号伝達する。便宜上、本発明において、新しいＤＣＩフォーマットは、“ＤＣＩフォーマットＸ”と称される。ＤＣＩフォーマットＸは、レガシーＤＣＩフォーマットの一種、または、レガシーＤＣＩフォーマットの一つに基づいた修正バージョンである。ＲＲＣシグナリングが用いられて、ＵＥにＸ−ＰＤＣＣＨを用いるか否かを設定する。ＵＥがＸ−ＰＤＣＣＨを用いるように設定される場合、ＵＥは、ＰＤＣＣＨ中のＤＣＩフォーマットＸの復号により得られる情報に基づいて、Ｘ−ＰＤＣＣＨ中のそれ自身のダウンリンクスケジューラーおよび／またはアップリンクグラントを復号する。Ｘ−ＰＤＣＣＨ中のスケジューラーおよび／またはアップリンクグラントを復号後、ＵＥは、対応するダウンリンクデータパケットおよび／またはアップリンク伝送機会の復号に進むことができる。
【００２１】
図３の例において、ＰＤＣＣＨ３１は、サブフレーム３０中の初めの幾つかのＯＦＤＭ符号を占有し、ＰＤＳＣＨ３２は、サブフレーム３０中のＯＦＤＭ符号の残りを占有する。ＰＤＣＣＨ３１中のＤＣＩフォーマットＸ３３が用いられて、動的に、ＵＥに、ＰＤＳＣＨ３２中に存在するＵＥ特定Ｘ−ＰＤＣＣＨ３４の情報を信号伝達する。ＤＣＩフォーマットＸの内容は、少なくとも、以下の情報の一部または全部を含む。グループＩＤ、リソース割り当てタイプ、ＵＥ特定ダウンリンク制御チャネルのリソースブロック割り当て、ＵＥ特定ダウンリンク制御チャネルを復号するのに用いられるＭＩＭＯランクとアンテナポート。グループＩＤはＵＥに用いられて、属するＵＥグループを確定し、および、どの動的シグナリングを参考にすべきかを識別して、それらのＵＥ特定ダウンリンク制御チャネルを見つける。グループＩＤは高い層により設定される。
【００２２】
同じグループ中のダウンリンクスケジューラーおよびアップリンクグラントは、ＵＥ特定ダウンリンク制御チャネルの同じＭＩＭＯ層にある。たとえば、二層がＵＥ特定ダウンリンク制御チャネルに用いられる場合、二個のグループＩＤが用いられて、二個のＤＣＩフォーマットＸを、異なるグループのＵＥに分化させる。グループＩＤの設計を用いて、制御情報シグナチャーの可能な消耗を減少させる。このほか、ＤＣＩフォーマットＸ３３により、動的ダウンリンクシグナリングにより規定されるように、ＵＥのグループは、単一アンテナポートまたは複数のアンテナポートを用いて、ＵＥ特定ダウンリンク制御チャネル中のダウンリンクスケジューラーおよび／またはアップリンクグラントを復号する。特定のシグナチャーを用いて、動的ダウンリンクシグナリングを符号化し、ＵＥは、この動的シグナリングの目的を確認すると共に、それらが、高層により設定されない場合、可能な復号動作を回避することができる。ＵＥ特定ダウンリンク制御チャネルを用いるように設定されないＵＥは、動的シグナリングの復号をスキップすることができる。たとえば、ある特定のＲＮＴＩが用いられて、ＤＣＩフォーマットＸ３３の周期的冗長検査ビットをスクランブルする。ＲＮＴＩは、ＲＲＣシグナリングにより予め特定されるか、または設定される。ＲＲＣにより、ＵＥ特定Ｘ−ＰＤＣＣＨを用いるように設定されないＵＥは、ＤＣＩフォーマットＸを復号する必要がない。特定のＲＮＴＩを用いて、ＤＣＩフォーマットＸ３３復号する際、ＵＥは、シグナリングの目的が、ＵＥ特定ダウンリンク制御チャネルに対してであることを知る。その後、ＵＥは、ＤＣＩフォーマットＸ３３から得られた情報を用いて、Ｘ−ＰＤＣＣＨ３４中のそれら自身のスケジューラーを復号することができる。たとえば、ＵＥは、Ｘ−ＰＤＣＣＨ３４中のスケジューラーからの割り当て情報をＰＤＳＣＨ#0中に含まれるデータパケットに対して復号してもよい。
【００２３】
一つの実施例において、ＵＥ特定ダウンリンク制御チャネルに保留されたＵＥ特定無線リソースは、レガシーダウンリンク制御チャネルの拡張空間と見なされる。ＵＥ特定ダウンリンク制御チャネルを用いるように設定されるＵＥは、まず、レガシーＰＤＣＣＨ中で、その後、ＵＥ特定ダウンリンク制御チャネルで、それら自身のダウンリンクスケジューラーを検索する。動的ダウンリンクシグナリングは、ＵＥ特定ダウンリンク制御チャネルに対する一種のポインタである。設定されたＵＥに演算負担を増加させるが、レガシーＰＤＣＣＨとＵＥ特定ダウンリンク制御チャネル間の動的切り換えをサポートすることができる。より詳しくは、Ｘ−ＰＤＣＣＨを用いるように設定されたＵＥは、まず、ＰＤＣＣＨで、その後、Ｘ−ＰＤＣＣＨで、それら自身のスケジューラーを検索する。
【００２４】
図４は、ＵＥ特定ダウンリンク制御チャネルＸ−ＰＤＣＣＨに対する動的シグナリングの一つの実施例のフローチャートである。ステップ４０１において、ＵＥは、まず、ＰＤＣＣＨ中でＤＣＩを検索する。ステップ４０２中、ＵＥが、ＤＣＩを見つけない場合、ステップ４０６において、ＵＥは、一伝送時間間隔（ＴＴＩ）進んで、ステップ４０１に戻る。そうでなければ、ＵＥがＲＲＣにより設定されて、ＵＥ特定ダウンリンク制御チャネルを用いる場合、ステップ４０３で、ＵＥは、ＰＤＣＣＨ中のＤＣＩフォーマットＸを検索する。ＵＥがＤＣＩフォーマットＸを見つけた場合、ステップ４０４で、ＵＥは、ＤＣＩフォーマットＸに含まれるシグナリング情報（たとえば、無線リソース位置、グループＩＤおよびＭＩＭＯ関連情報）に基づいて、Ｘ−ＰＤＣＣＨ中のＤＣＩを検索する。ステップ４０５において、ＵＥは全ＤＣＩを解析すると共に、ＤＣＩに基づいて、対応動作を実行する。最後に、ステップ４０６で、ＵＥは一ＴＴＩ進んで、ステップ４０１に戻る。
【００２５】
図５は、ＵＥ特定ダウンリンク制御チャネルに対する動的シグナリングを応用するＣｏＭＰ状況４中の一つのアプリケーションを示す説明図である。無線ネットワーク５００は、マクロ−ｅＮＢ５０１、UE#0に供する第一RRH#0、および、UE#1とUE#2に供する第二RRH#1を備えている。全ＵＥが設定されて、ＵＥ特定ダウンリンク制御チャネルを用いる。UE#0が設定されて、GID＝1付きのグループＩＤを有し、UE#1とUE#2が設定されて、GID＝0付きのグループＩＤを有する。
【００２６】
図５の例において、ＰＤＣＣＨ５１は、サブフレーム５０の初めの幾つかのＯＦＤＭ符号を占有し、ＰＤＳＣＨ５２は、サブフレーム５０のＯＦＤＭ符号の残りを占有する。ＰＤＣＣＨ５１は、二個のＤＣＩフォーマットＸ、第一ＤＣＩフォーマットＸ５３および第二ＤＣＩフォーマットＸ５４を備えている。ＰＤＣＣＨ５１中のＤＣＩフォーマットＸ５３−５４を用いて、動的に、ＵＥに、ＰＤＳＣＨ５２中に存在するＵＥ特定Ｘ−ＰＤＣＣＨ５５の情報を信号伝達する。Ｘ−ＰＤＣＣＨはＵＥ特定無線リソース中に存在するので、空間領域チャネル特徴を用いて、制御チャネルキャパシティを倍増する。たとえば、Ｘ−ＰＤＣＣＨは、２グループのＵＥに対する２個の空間層を備えている。GID＝0に属するUE#0に関して、GID＝0のグループに関連し、別のシグナリング情報を含むＤＣＩフォーマットＸ５３から、シグナリング情報を復号して、UE#0が、層−1 Ｘ−ＰＤＣＣＨを見つけることができる。その後、UE#0は、層−1 ＰＤＳＣＨ#0中に位置するデータパケットの割り当て情報を含む層−1 Ｘ−ＰＤＣＣＨ内で、スケジューラー（ＤＣＩ）を復号する。同様に、GID＝1に属するUE#1とUE#2に関して、GID＝1のグループに関連し、別のシグナリング情報を含むＤＣＩフォーマットＸ５４から、シグナリング情報を復号して、UE#1とUE#2が層−2 Ｘ−ＰＤＣＣＨを見つけることができる。その後、UE#1とUE#2は、それぞれ、層−2 ＰＤＳＣＨ#0とＰＤＳＣＨ#1中に位置するデータパケットに対する割り当て情報を含む層−2 Ｘ−ＰＤＣＣＨ内で、スケジューラー（ＤＣＩ）を復号する。ＵＥ特定ダウンリンク制御チャネルに対する動的シグナリングは、ＴＭ９と比較して、大幅な制御オーバーヘッド減少を提供する。Ｘ−ＰＤＣＣＨの制御オーバーヘッドを動的に調整するとともに、ＲＲＣシグナリングオーバーヘッドはより小さくなる。チャネルバンド幅50RBを例とし、ＮグループのＵＥを有し、且つ、各グループにＫ個のＵＥがあると仮定する。ＤＣＩフォーマット１Ｄ（27ビット）のサイズをＤＣＩフォーマットＸのサイズとし、Ｘ−ＰＤＣＣＨ中のスケジューラーのサイズとしてＤＣＩフォーマット２Ｃ（36ビット）のサイズとする。提案される方法の制御オーバーヘッドは（27*N＋36*K）、および、ＤＣＩフォーマット２Ｃの制御オーバーヘッドは（36*N*K）である。N＝2およびK＝4の場合、オーバーヘッド減少は31.25％である。オーバーヘッド減少率は、各グループ中のＵＥ数量とＵＥグループ数量とともに増加する。一般に、オーバーヘッド減少は1−（27/(36*K）＋1/N）、式中、Kは各グループ中のＵＥの数量で、NはＵＥグループの数量である。これにより、セル中にさらに多くのＲＲＨがあり、さらに多くのＵＥがＲＲＨに関連する時、オーバーヘッド減少率が増加するので、上述の方法は、特に、ＣｏＭＰ状況４に有益である。
【００２７】
図６は、ＵＥ特定ダウンリンク制御チャネルに対する半静的シグナリングの一例を示す説明図である。半静的高層シグナリングが用いられて、ＵＥに、ＵＥ特定無線リソース中のＵＥ特定ダウンリンク制御チャネルの情報を信号伝達する。一般に、高層シグナリングは、各ＵＥへの専用のシグナリングである。ＵＥ特定無線リソースは、ＭＩＭＯプレコードできる専用パイロットを用いた物理チャネルの一種である。高層シグナリングを用いて、ＵＥに、ＵＥ特定ダウンリンク制御チャネルを用いるか否かを設定する。半静的シグナリング情報に基づいて、設定されたＵＥは、ＵＥ特定ダウンリンク制御チャネル中、ダウンリンクスケジューラーおよび／またはアップリンクグラントを復号して、ダウンリンクデータパケットおよび／またはアップリンク伝送機会に対する割り当て情報を得る。
【００２８】
ＬＴＥにおいて、ＲＲＣシグナリングを用いて、ＵＥに、ＵＥ特定ダウンリンク制御チャネルＸ−ＰＤＣＣＨの情報を信号伝達する。便宜上、本発明において、ＲＲＣシグナリングは“ＲＲＣシグナリングＸ”と称される。ＲＲＣシグナリングＸは、存在するＲＲＣ信号中の新しいＲＲＣ信号か、新しい情報要素かのどちらかが可能である。また、ＲＲＣシグナリングＸを用いて、ＵＥに、Ｘ−ＰＤＣＣＨを用いるか否かを設定する。ＵＥがＸ−ＰＤＣＣＨを用いるように設定される場合、ＵＥは、ＲＲＣシグナリングＸから得られる半静的情報に基づいて、Ｘ−ＰＤＣＣＨ中のそれ自身のダウンリンクスケジューラーおよび／またはアップリンクグラントを復号する。Ｘ−ＰＤＣＣＨ中のスケジューラーおよび／またはアップリンクグラントを復号後、ＵＥは、対応するダウンリンクデータパケットおよび／またはアップリンク伝送機会の復号を継続することができる。
【００２９】
図６の例において、ＰＤＣＣＨ６１は、サブフレーム６０中の初めの幾つかのＯＦＤＭ符号を占有し、ＰＤＳＣＨ６２は、サブフレーム６０中のＯＦＤＭ符号の残りを占有する。高層ＲＲＣシグナリングＸ６３を用いて、ＵＥに、ＰＤＳＣＨ６２中に存在するＵＥ特定ダウンリンク制御チャネルＸ−ＰＤＣＣＨ６４の情報を信号伝達する。半静的シグナリング情報の内容は、少なくとも、以下の情報の一部または全部から構成されている。ＵＥ特定ダウンリンク制御チャネルのイネイブラー、リソース割り当てタイプ、ＵＥ特定ダウンリンク制御チャネルに対するリソースブロック割り当て、ＵＥ特定ダウンリンク制御チャネルを復号するのに用いられるＭＩＭＯランクとアンテナポート。
【００３０】
第一実施例において、ＵＥ特定ダウンリンク制御チャネルに対して保留されたＵＥ特定無線リソースは、レガシーダウンリンク制御チャネルの拡張空間と見なされる。ＵＥ特定ダウンリンク制御チャネルを用いるように設定されたＵＥは、まず、レガシーダウンリンク制御チャネル中で、後に、ＵＥ特定ダウンリンク制御チャネル中で、それら自身のスケジューラーを検索する。より詳しくは、Ｘ−ＰＤＣＣＨを用いるように設定されたＵＥは、まず、ＰＤＣＣＨ、その後、Ｘ−ＰＤＣＣＨ中で、それら自身のスケジューラーを検索する。
【００３１】
図７は、ＵＥ特定ダウンリンク制御チャネルに対する半静的シグナリングの方法の第一実施例のフローチャートである。ステップ７０１において、ＵＥは、ＵＥ特定ダウンリンク制御チャネルに対する半静的シグナリング情報を含む高層ＲＲＣシグナリングＸを受信する。ステップ７０２において、ＵＥは、ＰＤＣＣＨ中のＤＣＩを検索する。ステップ７０３において、ＵＥは、ＲＲＣシグナリングＸからの半静的シグナリング情報に基づいて、Ｘ−ＰＤＣＣＨ中のＤＣＩを検索する。ステップ７０４において、ＵＥは、現在のＴＴＩ中に、ＤＣＩがあるかどうか判断する。ＤＣＩが見つからない場合、ステップ７０６で、ＵＥは一ＴＴＩ進んで、ステップ７０２に戻る。一方、ステップ７０５中、ＵＥはＤＣＩを解析するとともに、ＤＣＩに基づいて、対応動作を実行する。最後に、ステップ７０６で、ＵＥは一ＴＴＩ進んで、ステップ７０２に戻る。注意すべきことは、ＵＥは、Ｘ−ＰＤＣＣＨ中で検索する前、ＰＤＣＣＨ中のＤＣＩを常に検索することである。
【００３２】
第二実施例において、サブフレーム情報を用いて、ＵＥに、どのサブフレームが、監視すべきＵＥ特定ダウンリンク制御チャネルを含むかを示す。たとえば、サブフレーム情報はサブフレームビットマップとして実行され、且つ、各ビットは、どの特定のサブフレームが、ＵＥが監視すべきＸ−ＰＤＣＣＨおよび／またはＸ−ＰＤＣＣＨ ＵＥを含むかを示す。いくつかの場合には、サブフレーム中にＸ−ＰＤＣＣＨはあるが、ＵＥのいくつかはＸ−ＰＤＣＣＨを監視する必要がない。よって、サブフレームビットマップは、どのサブフレームがＸ−ＰＤＣＣＨを含むかを示すのに用いることができるだけでなく、ＵＥがどのサブフレームのＸ−ＰＤＣＣＨを監視する必要があるかを示すのに用いることができる。サブフレームビットマップは、セル特定 またはＵＥ特定で、たとえば、異なるＵＥ間で異なりうる。これにより、制御オーバーヘッドは、周波数ドメインだけでなく、時間ドメインでも調整することができる。このほか、ＵＥは、サブフレーム毎に、やみくもにＵＥ特定ダウンリンクスケジューラーを復号する必要がない。
【００３３】
図８は、ＵＥ特定ダウンリンク制御チャネルに対する半静的シグナリングの方法の第二実施例のフローチャートである。ステップ８０１において、ＵＥは、ＵＥ特定ダウンリンク制御チャネルに対する半静的シグナリング情報を含む高層ＲＲＣシグナリングＸを受信する。ステップ８０２において、ＵＥは、サブフレームビットマップに基づいて、現在のＴＴＩ／サブフレーム中のＸ−ＰＤＣＣＨを監視する。サブフレームビットマップが、現在のＴＴＩ／サブフレームが、ＵＥが監視するＸ−ＰＤＣＣＨを含まないことを示す場合、ステップ８０６で、ＵＥは一ＴＴＩ進み、ステップ８０２に戻る。一方、サブフレームビットマップが、現在のＴＴＩ/サブフレームが、ＵＥが監視するＸ−ＰＤＣＣＨを含むことを示す場合、ＵＥは、ステップ８０３で、ＲＲＣシグナリングＸからの半静的シグナリング情報に基づいて、Ｘ−ＰＤＣＣＨ中のＤＣＩを検索する。ステップ８０４において、ＵＥは、現在のＴＴＩ中でＤＣＩが見つかるかを判断する。ＤＣＩが見つからない場合、ステップ８０６で、ＵＥは一ＴＴＩ進み、ステップ８０２に戻る。一方、ＵＥはＤＣＩを解析し、ステップ８０５で、ＤＣＩに基づいて、対応動作を実行する。最後に、ステップ８０６で、ＵＥは一ＴＴＩ進み、ステップ８０２に戻る。注意すべきことは、ＵＥは、Ｘ-ＰＤＣＣＨ中で検索する前、ＰＤＣＣＨ中のＤＣＩを検索する必要がないことである。
【００３４】
図９は、ＵＥ特定ダウンリンク制御チャネルに対する半静的シグナリングの方法の第三実施例のフローチャートである。第三実施例は、ＵＥ特定ダウンリンク制御チャネルに対する半静的シグナリングの第一および第二実施例の組み合わせである。ステップ９０１において、ＵＥは、ＵＥ特定ダウンリンク制御チャネルに対する半静的シグナリング情報を含む高層ＲＲＣシグナリングＸを受信する。ステップ９０２において、ＵＥは、ＰＤＣＣＨ中のＤＣＩを検索する。ステップ９０３において、ＵＥは、サブフレームビットマップに基づいて、現在のＴＴＩ／サブフレーム中のＸ−ＰＤＣＣＨを監視する。現在のＴＴＩ／サブフレームが、ＵＥが監視するＸ−ＰＤＣＣＨを含まないことを、サブフレームビットマップが示す場合、ＵＥは直接ステップ９０５に進む。一方、サブフレームビットマップは、現在のＴＴＩ／サブフレームがＸ−ＰＤＣＣＨを含むことを示す場合、ＵＥは、ＲＲＣシグナリングＸからの半静的シグナリング情報に基づいて、ステップ９０４中、Ｘ−ＰＤＣＣＨ中のＤＣＩを検索する。ステップ９０５において、ＵＥは、現在のＴＴＩ中に、ＤＣＩがあるかどうか判断する。ＤＣＩが見つからない場合、ステップ９０７で、ＵＥは一ＴＴＩ進み、ステップ９０２に戻る。一方、ステップ９０６中、ＵＥはＤＣＩを解析し、ＤＣＩに基づいて、対応動作を実行する。最後に、ステップ９０７で、ＵＥは一ＴＴＩ進み、ステップ９０２に戻る。
【００３５】
図１０は、ＵＥ特定ダウンリンク制御チャネルに対する半静的シグナリングを応用するＣｏＭＰ状況４中の一適用例の説明図である。無線ネットワーク１０００は、マクロ−ｅＮＢ１００１、UE#0に供する第一RRH#0、および、UE#1とUE#2に供する第二RRH#1を備えている。全ＵＥが設定されて、ＵＥ特定ダウンリンク制御チャネルを使用する。専用のＲＲＣシグナリングを用いて、半静的シグナリング情報をＵＥ特定ダウンリンク制御チャネルに提供する。たとえば、UE#0に対するＲＲＣシグナリングＸは、UE#0に、層−1 Ｘ−ＰＤＣＣＨを探すように信号伝達する。その後、UE#0は、層−1 ＰＤＳＣＨ#0中に位置するデータパケットに対する割り当て情報を含む層−1 Ｘ−ＰＤＣＣＨ内のスケジューラー（ＤＣＩ）を復号する。同様に、UE#1とUE#2はＲＲＣシグナリングＸを受信して、UE#1とUE#2は層−2 Ｘ−ＰＤＣＣＨを見つけることができる。その後、UE#1とUE#2は、それぞれ、層−2 ＰＤＳＣＨ#0とＰＤＳＣＨ#1中に位置するデータパケットに対する割り当て情報を含む層−2 Ｘ−ＰＤＣＣＨ内のスケジューラー（ＤＣＩ）を復号する。ＴＭ９と比較して、ＵＥ特定ダウンリンクシグナリングチャネルの半静的シグナリングは、ＰＤＣＣＨに対する大幅な制御オーバーヘッド減少を提供する。50RBのチャネルバンド幅を例とし、ＵＥのＮグループがあり、且つ、各グループはＫ個のＵＥを有すると仮定する。Ｘ−ＰＤＣＣＨ中のＤＣＩフォーマット２Ｃのサイズ（36ビット）をスケジューラーのサイズとする。提案される方法の制御オーバーヘッドは（36*K）で、且つ、ＤＣＩフォーマット２Ｃの制御オーバーヘッドは（36*N*K）である。N＝2およびK＝4の場合、オーバーヘッド減少は 50%である。オーバーヘッド減少率は、ＵＥグループの数量とともに増加するが、各グループ中のＵＥ数量とともには変化しない。一般に、オーバーヘッド減少は1−（1/N）、式中、Nはセル中のＲＲＨの数量である。これにより、セル中にさらに多くのＲＲＨがあるとき、オーバーヘッド減少率が増加するので、上述の方法は、特に、ＣｏＭＰ状況４に対して有益である。より多くのＲＲＣシグナリングオーバーヘッドが導入されるが、ＤＣＩフォーマットに規格上の影響はない。
【００３６】
図１１は、ＵＥ特定ダウンリンク制御チャネルに対するシグナリングの方法を示すフローチャートである。ステップ１１０１において、ＵＥは、高層設定を受信し、ＵＥに、ＵＥ特定ダウンリンク制御チャネルを用いるか否かを設定するために用いられる。ステップ１１０２において、設定されたＵＥは、シグナリング情報を受信するとともに復号して、ＵＥは、ＵＥ特定無線リソース中のＵＥ特定ダウンリンク制御チャネルを見つける。一つの実施例において、シグナリングは、セル特定無線リソース中の動的シグナリングである。別の実施例において、シグナリングは、上層による半静的シグナリングである。ステップ１１０３において、ＵＥは、ＵＥ特定ダウンリンク制御チャネルからのダウンリンクデータパケットおよび／またはアップリンク伝送機会に対する割り当て情報を復号する。
【００３７】
本発明では好ましい実施例を前述の通り開示したが、本発明はこれらの実施例に限定するものではなく、たとえば、ＵＥ特定ダウンリンク制御チャネルの使用は、ＭＵ−ＭＩＭＯまたはＣｏＭＰのスケジューリングだけに限定されず、別のＭＩＭＯスキームおよび配置状況も可能である。当該技術を熟知する者なら誰でも、本発明の精神と領域を脱しない範囲内で各種の修正や改変を加えることができ、従って本発明の保護範囲は、特許請求の範囲で指定した内容を基準とする。
【符号の説明】
【００３８】
３０  サブフレーム、３１  ＰＤＣＣＨ、３２  ＰＤＳＣＨ、３３  ＤＣＩフォーマットＸ、３４  特定Ｘ−ＰＤＣＣＨ、５０  サブフレーム、５１  ＰＤＣＣＨ、５２  ＰＤＳＣＨ、５３  第一ＤＣＩフォーマットＸ、５４  第二ＤＣＩフォーマットＸ、６０  サブフレーム、６１  ＰＤＣＣＨ、６２  ＰＤＳＣＨ、６３  高層ＲＲＣシグナリングＸ、６４  ＵＥ特定ダウンリンク制御チャネルＸ−ＰＤＣＣＨ、１００  無線通信ネットワーク、１０１  マクロｅＮＢ、１０２  ユーザー装置ＵＥ、２０１  無線通信端子ＵＥ、２０２  基地局ｅＮＢ、２１０  トランシーバアンテナ、２１１  ＲＦモジュール、２１２  ベースバンドモジュール、２１３  プロセッサ、２１４  メモリ、２１５  プロトコールスタック、２１６  非アクセス層（ＮＡＳ）層、２１７  非アクセス層（ＲＲＣ）層、２１８  パケットデータ集中制御（ＰＤＣＰ）層、２１９  無線リンク制御（ＲＬＣ）層、２２０  媒体アクセス制御（ＭＡＣ）層、２２１  物理層（ＰＨＹ）、２３０  トランシーバ―アンテナ、２３１  ＲＦモジュール、２３２  ベースバンドモジュール、２３３  プロセッサ、２３４  メモリ、２３５  プロトコールスタック、２３６  非アクセス層（ＮＡＳ）層、２３７  非アクセス層（ＲＲＣ）層、２３８  パケットデータ集中制御（ＰＤＣＰ）層、２３９  無線リンク制御（ＲＬＣ）層、２４０  媒体アクセス制御（ＭＡＣ）層、２４１  物理層（ＰＨＹ）、４０１  ＤＣＩ検索ステップ、４０２  ＤＣＩ有無判別ステップ、４０３  ＤＣＩ有無判別ステップ、４０４  ＤＣＩ検索ステップ、４０５  ＤＣＩ解析、動作実行ステップ、４０６  一ＴＴＩ前進ステップ、５００  無線ネットワーク、５０１  マクロ−ｅＮＢ、７０１  ＲＲＣ設定受信ステップ、７０２  ＤＣＩ検索ステップ、７０３  ＤＣＩ検索ステップ、７０４  ＤＣＩ有無判別ステップ、７０５  ＤＣＩ解析、動作実行ステップ、７０６  一ＴＴＩ前進ステップ、８０１  ＲＲＣ設定受信ステップ、８０２  Ｘ―ＰＤＣＣＨ監視ステップ、８０３  ＤＣＩ検索ステップ、８０４  ＤＣＩ有無判別ステップ、８０５  ＤＣＩ解析、動作実行ステップ、８０６  一ＴＴＩ前進ステップ、９０１  ＲＲＣ設定受信ステップ、９０２  ＤＣＩ検索ステップ、９０３  Ｘ―ＰＤＣＣＨ監視ステップ、９０４  ＤＣＩ検索ステップ、９０５  ＤＣＩ有無判別ステップ、９０６  解析、動作実行ステップ、９０７  一ＴＴＩ前進ステップ、１０００  無線ネットワーク、１００１  マクロ−ｅＮＢ、１１０１  ＵＥ特定ダウンリンク制御チャネル設定ステップ、１１０２  ＵＥ特定ダウンリンク制御チャネル検出ステップ、１１０３  割り当て情報復号ステップ。
【図１】
0005800980.tif 000002
【図２】
0005800980.tif 000003
【図３】
0005800980.tif 000004
【図４】
0005800980.tif 000005
【図５】
0005800980.tif 000006
【図６】
0005800980.tif 000007
【図７】
0005800980.tif 000008
【図８】
0005800980.tif 000009
【図９】
0005800980.tif 000010
【図１０】
0005800980.tif 000011
【図１１】
0005800980.tif 000012